(57)【特許請求の範囲】
【請求項１】
内容液を収容する収容部と、該収容部の上部に設けられた口部とを備え、
前記収容部は、底面部と、該底面部の周縁から立設する胴部とを備え、
前記胴部の一方の側面部には、直線状に上下方向に延び、前記収容部に収容された内容液の液位を視認可能な窓部が設けられ、
前記窓部は、前記胴部の外周面から外方に突き出ており、
前記窓部の内壁面が凹み、前記内壁面の底が前記胴部の外周面よりも外方に位置しており、
前記胴部の他方の側面部には、前記窓部と対向する位置に直線状に上下方向に延び、外光を内側に取り込む光取込部がさらに設けられている、容器。
【請求項２】
前記窓部が、少なくとも前記胴部における前記底面部寄りの位置及び前記口部寄りの位置のいずれか一方もしくは両方に設けられている、請求項１に記載の容器。
【発明の詳細な説明】
【技術分野】
【０００１】
本発明は、容器に関する。
【背景技術】
【０００２】
近年、ハンドソープやボディーソープ等の液体洗剤等の容器は、使用により残量が少なくなった際に、詰め替え容器（パウチ、超軽量容器）から内溶液を補充して繰り返し使用されるようになっている。しかし、容器の外側から内容液の液位が確認できないと、内容液の補充のタイミングが分かりづらい。
【０００３】
収容した内容液の液位を確認しやすい容器としては、例えば、容器の本体側面に、該本体側面を縦断する透明又は半透明の透視窓部が設けられた容器が知られている（特許文献１）。該容器では、透視窓部から容器内の内容液の液位が視認できるため、内容液の残量を把握できる。
しかし、特許文献１のような容器では、正面側や背面側から容器を見た場合に透視窓部が見えづらく、内容液の液位を確認することが困難である。
【先行技術文献】
【特許文献】
【０００４】
【特許文献１】実用新案登録第３１０１１８８号公報
【発明の概要】
【発明が解決しようとする課題】
【０００５】
本発明は、内部に収容された内容液の液位をより視認しやすい容器を提供することを目的とする。
【課題を解決するための手段】
【０００６】
本発明の容器は、内容液を収容する収容部と、該収容部の上部に設けられた口部とを備え、前記収容部は、底面部と、該底面部の周縁から立設する胴部とを備え、前記胴部には、上下方向に延び、前記収容部に収容された内容液の液位を視認可能な窓部が設けられ、前記窓部は、前記胴部の外周面から外方に突き出ている。
【０００７】
本発明の容器では、前記胴部に、外光を内側に取り込む光取込部がさらに設けられていることが好ましい。
また、前記窓部は、少なくとも前記胴部における前記底面部寄りの位置及び前記口部寄りの位置のいずれか一方もしくは両方に設けられていることが好ましい。
【発明の効果】
【０００８】
本発明の容器は、内部に収容された内容液の液位をより視認しやすい。
【図面の簡単な説明】
【０００９】
【図１】本発明の容器の一例を示した正面図である。
【図２】図１の容器の斜視図である。
【図３】図１の容器における容器本体を示した正面図である。
【図４】図１の容器のＡ−Ａ断面図である。
【図５】図１の容器の右側面図である。
【図６】本発明の容器の他の例を示した正面図である。
【図７】本発明の容器における窓部の他の例を示した断面図である。
【発明を実施するための形態】
【００１０】
以下、本発明の容器の一例について、図面を参照して詳細に説明する。
本実施形態の容器１は、図１に示すように、内容液が収容される容器本体１０と、容器本体１０に収容された内容液を吐出させる吐出部１２とを備えている。
【００１１】
（容器本体）
容器本体１０は、図１〜３に示すように、底面部１８及び底面部１８の周縁から立設する胴部２０とからなり、内容液を収容する収容部１４と、収容部１４の上部に設けられた円筒状の口部１６と、を備えている。口部１６の外周面には、吐出部１２を螺合装着するためのネジ部１６ａが設けられている。
【００１２】
胴部２０における一方の側面部２０ａには、底面部１８側の端部から口部１６側の端部にわたって、直線状に上下方向に延び、収容部１４に収容された内容液の液位を視認可能な窓部２１が設けられている。窓部２１が設けられていることにより、収容された内容液の液位を収容部１４の外側から把握することができる。
【００１３】
窓部２１は、胴部２０における底面部１８寄りの位置に設けられた第１窓部２２と、胴部２０における口部１６寄りの位置に設けられた第２窓部２４と、を備える。
第１窓部２２は、胴部２０の側面部２０ａにおける第１窓部２２及び第２窓部２４以外の部分の外周面から外方に突き出ている。すなわち、図４に示すように、第１窓部２２は、胴部２０の側面部２０ａの外周面における第１窓部２２及び第２窓部２４が無い場合の基準面ｋよりも、外方に突き出て、上下方向に延びる凸条を形成している。
これにより、図１〜３に示すように、容器１を正面側や背面側から見た場合でも第１窓部２２を視認できる。そのため、容器１の側面側から第１窓部２２を正面視した場合だけでなく、容器１を正面側又は背面側から見た場合でも第１窓部２２を通じて内容液の液位を容易に把握できる。その結果、収容部１４内に収容された内容液が減ってきたときに、使用中に内容液の残量を把握できることから、内容液の補充のタイミングを適切に判断できる。
【００１４】
この例では、図４に示したように、第１窓部２２の内壁面２２ｂが凹み、その底が胴部２０における側面部２０ａの外周面よりも外方に位置するようになっている。すなわち、第１窓部２２は、内壁面２２ｂが凹み、その底が、側面部２０ａの外周面における基準面ｋよりも外方に位置するようになっている。これにより、容器１を正面側又は背面側から見た場合でも、第１窓部２２内に入り込んだ内容液を直接視認できる。そのため、内容液の液位をより容易に把握できる。
【００１５】
第１窓部２２の外壁面２２ａの頂点（最も突き出ている点）と基準面ｋとの距離ｄ１（図４）は、０．２〜５ｍｍが好ましく、２〜５ｍｍがより好ましい。距離ｄ１が前記下限値以上であれば、第１窓部２２を通じて内容液の液位を把握しやすい。距離ｄ１が前記上限値以下であれば、液位を把握しやすいのはもちろんのこと、成形性も良い。
【００１６】
第１窓部２２の内壁面２２ｂの底（最も外方に位置する点）と基準面ｋとの距離ｄ２（図４）は、０〜４ｍｍが好ましく、１〜４ｍｍがより好ましい。距離ｄ２が前記下限値以上であれば、第１窓部２２を通じて内容液を直接視認して内容液の液位を把握することがより容易になる。距離ｄ２が前記上限値以下であれば、必要な肉厚が確保され、成形的に良好である。
【００１７】
第２窓部２４は、胴部２０の側面部２０ａにおける第１窓部２２及び第２窓部２４以外の部分の外周面から外方に突き出ている。すなわち、第２窓部２４は、側面部２０ａの外周面における基準面ｋよりも、外方に突き出て、上下方向に延びる凸条を形成している。これにより、第１窓部２２と同様に、容器１を正面側や背面側から見た場合でも第２窓部２４を視認できる。そのため、容器１の側面側から第２窓部２４を正面視した場合だけでなく、容器１を正面側又は背面側から見た場合でも第２窓部２４を通じて内容液の液位を容易に把握できる。その結果、収容部１４内に内容液を補充するときに、内容液の補充中に収容部１４内の液量を把握できることから、内容液が容器本体１０から溢れ出すことを抑制できる。
【００１８】
また、この例では、第１窓部２２と同様に、第２窓部２４の内壁面が凹み、その底が胴部２０における側面部２０ａの外周面よりも外方に位置するようになっている。すなわち、第２窓部２４は、その内壁面が凹み、その底が、側面部２０ａの外周面における基準面ｋよりも外方に位置するようになっている。これにより、容器１を正面側又は背面側から見た場合でも、第２窓部２４内に入り込んだ内容液を直接視認できるため、内容液の液位を容易に把握できる。
【００１９】
第２窓部２４の外壁面の頂点（最も突き出ている点）と基準面ｋとの距離、及び第２窓部２４の内壁面の底（最も外方に位置する点）と基準面ｋとの距離の好ましい範囲は、第１窓部２２における距離ｄ１、ｄ２の好ましい範囲と同じである。
【００２０】
胴部２０における他の側面部２０ｂには、図５に示すように、外光を内側に取り込むための、底面部１８側の端部から口部１６側の端部にわたって、直線状に上下方向に延びる光取込部２６が設けられている。すなわち、胴部２０には、第１窓部２２及び第２窓部２４と対向する位置に光取込部２６が設けられている。
なお、胴部２０における光取込部２６の位置は、第１窓部２２及び第２窓部２４と対向する位置には限定されない。
【００２１】
光取込部２６から収容部１４内に外光が取り込まれることで、その取り込まれた光によって暗い場所でも第１窓部２２及び第２窓部２４が内側から照らし出される。そのため、特に内容液が着色されている場合に液位の視認性がさらに向上する。また、容器１の胴部２０を側面部２０ｂ側から正面視した場合には第１窓部２２及び第２窓部２４を視認できないが、この場合でも光取込部２６を通じて内容液の液位を把握することもできる。
【００２２】
光取込部２６の長さ及び幅は、収容部１４内に効率的に外光を取り込めるように適宜設定すればよい。また、光取込部２６の形状は、収容部１４内に効率的に外光を取り込める形状であれば直線状には限定されない。また、光取込部２６を直線状に形成する場合、連続的に形成してもよく、不連続的に形成してもよい。製造の容易性の点では、光取込部２６を直線状に連続的に設けることが好ましい。
【００２３】
容器本体１０の材質としては、公知の材質を使用でき、ポリエチレン樹脂、ポリプロピレン樹脂、ポリエステル樹脂等の合成樹脂材料が挙げられる。
窓部２１は、窓部２１を通じて内容液の液位を視認できるように、透明性を有する材料により形成される。窓部２１を形成する透明性を有する材料としては、例えば、ポリプロピレン、ポリエチレン、ポリエチレンテレフタレート（ＰＥＴ）等が挙げられる。
光取込部２６は、外光を収容部１４内に取り込めるように、透明性を有する材料により形成される。光取込部２６を形成する透明性を有する材料としては、例えば、窓部２１を形成する透明性を有する材料と同じものが挙げられる。
容器本体１０における窓部２１及び光取込部２６以外の部分は、通常、デザイン性の点から着色され、収容された内容液を視認できないようにされる。
【００２４】
（吐出部）
吐出部１２は、容器本体１０の口部１６に螺合により装着される装着キャップ３０と、装着キャップ３０の上部における中央部分に突設された筒状部３２と、筒状部３２から上方に向かって延び、上方に付勢された状態で上下方向に移動可能に支持されたステム（図示せず。）の上端部に取り付けられたノズルヘッド３４と、を備えている。
【００２５】
装着キャップ３０の内周面には、口部１６の外周面に設けられたネジ部１６ａと螺合するネジ部が設けられている。容器本体１０の口部１６に装着キャップ３０が螺合されることで、容器本体１０の口部１６に吐出部１２が取り外し可能に装着される。
【００２６】
ノズルヘッド３４は、ステムの上端部に位置するヘッド部３４ａと、ヘッド部３４ａの側面から外方に延びるように設けられたノズル部３４ｂとを備えている。
ヘッド部３４ａは、使用者によって下方に押圧操作される部分である。ヘッド部３４ａの内側には、後述する泡ポンプ機構により圧送された内容液をステムからノズル部３４ｂへと導く流路（図示せず。）が設けられている。
ノズル部３４ｂは、先端から泡状の内容液を吐出させる部分である。ノズル部３４ｂの内部の流路はヘッド部３４ａの流路と連通しており、ヘッド部３４ａ側の基端から先端に向かって細くなる形状になっている。
【００２７】
また、吐出部１２には、ノズルヘッド３４を押圧操作してステムを付勢力に抗して押し下げることにより、容器本体１０に収容された内容液を空気と混合して泡状としながら、ステムを通じてノズルヘッド３４側へと圧送する泡ポンプ機構が備えられている。
泡ポンプ機構としては、公知の泡ポンプ機構を用いることができる。例えば、内部を液用ピストンが摺動する液用シリンダと、内部を空気用ピストンが摺動する空気用シリンダと、ステムの下端部に接続されて、該ステムと共にコイルスプリング（付勢手段）により上方に付勢された状態の液用ピストン及び空気用ピストンを一体的に押し下げる筒状のピストンガイドと、液用シリンダから供給される内容液と空気用シリンダから供給される空気とが混合される混合室と、ステムと混合室との間の流路に配置されたメッシュリング（発泡用部材）とを備える機構が挙げられる。
【００２８】
（製造方法）
容器本体１０の製造方法は、特に限定されず、ブロー成形等が挙げられる。例えばブロー成形により容器本体１０を得る場合、収容部１４における窓部２１及び光取込部２６の位置が金型におけるパーティングラインと一致するように設計すれば、容器本体１０の成形が容易になり好ましい。
吐出部１２の製造方法は、特に限定されず、公知の方法を採用できる。
【００２９】
（内容液）
内容液としては、特に限定されず、例えば、ハンドソープ、ポディソープ、洗顔料、シャンプー、整髪剤、台所洗剤等が挙げられる。
【００３０】
（作用機序）
以下、容器１の作用について説明する。
使用前は、容器本体１０の収容部１４内にハンドソープ等の内容液が収容された状態で、容器本体１０の口部１６に吐出部１２が螺合装着されている。使用時には、ノズルヘッド３４を付勢力に抗して押し下げることにより、収容部１４内の内容液がノズルヘッド３４側へと圧送され、ノズル部３４ｂから泡状に吐出される。
容器１では、収容部１４内に収容された内容液が減ってきたときに、第１窓部２２を通じて内容液の液位を視認できる。第１窓部２２は胴部２０から外方に突き出ているため、容器１を正面側や背面側から見た場合でも第１窓部２２を視認できる。そのため、容器１の側面側から第１窓部２２を正面視した場合だけでなく、容器１を正面側又は背面側から見た場合でも第１窓部２２を通じて内容液の液位を容易に把握できる。このように、使用中に内容液の残量を容易に把握できることから、内容液の補充のタイミングを適切に判断できる。
【００３１】
また、内容液を補充する際には、容器本体１０の口部１６から吐出部１２を取り外し、口部１６から内容液を注ぎ込む。容器１では、収容部１４の上部近傍まで内容液が注ぎ込まれたときに、第２窓部２４を通じて内容液の液位を視認できる。第２窓部２４は胴部２０から外方に突き出ているため、容器１を正面側や背面側から見た場合でも第２窓部２４を視認できる。そのため、容器１の側面側から第２窓部２４を正面視した場合だけでなく、容器１を正面側又は背面側から見た場合でも第２窓部２４を通じて内容液の液位を容易に把握できる。このように、収容部１４内に内容液を補充するときに収容部１４内の液量を容易に把握できることから、内容液が容器本体１０から溢れ出すことを抑制できる。
内容液を補充した後は、容器本体１０の口部１６に吐出部１２を再装着して使用する。
【００３２】
また、容器１では、胴部２０の他の側面部２０ｂに光取込部２６が設けられているため、光取込部２６から取り込まれた外光によって第１窓部２２及び第２窓部２４が照らし出される。そのため、比較的暗い場所でも第１窓部２２及び第２窓部２４を通じて内容液の液位を視認しやすい。
また、光取込部２６が設けられていれば、第１窓部２２及び第２窓部２４の反対側の側面部２０ｂから容器１を見た場合でも、光取込部２６を通じて内容液の液位を視認できる。そのため、胴部２０周りにどの方向から見た場合でも内容液の液位を把握できる。
【００３３】
以上説明した本発明の容器は、収容部の胴部に、胴部の外周面から外方に突き出ている窓部が設けられているため、収容された内容液の液位を容易に視認できる。そのため、内容液を補充するタイミングの判断や、補充時の内容液の溢れの抑制が容易になる。
【００３４】
（他の実施形態）
なお、本発明の容器は、前記した容器１には限定されない。
例えば、図６に例示した容器２であってもよい。図６における図１と同じ部分には同符号を付して説明を省略する。容器２は、第１窓部２２及び第２窓部２４を有する窓部２１の代わりに、胴部２０の側面部２０ａにおける底面部１８側の端部から口部１６側の端部にわたって、直線状に上下方向に延び、かつ胴部２０の外周面から突き出た窓部２１Ａが設けられている以外は、容器１と同じである。
【００３５】
また、本発明の容器は、第１窓部２２及び第２窓部２４を有する窓部２１の代わりに、第１窓部２２を有し、かつ第２窓部２４を有しない窓部を備える容器であってもよく、第２窓部２４を有し、かつ第１窓部２２を有しない窓部を備える容器であってもよい。
また、本発明の容器は、胴部における底面部寄りの部分だけに前述の窓部が設けられたものであってもよく、胴部における口部寄りの部分だけに前述の窓部が設けられたものであってもよい。
【００３６】
また、本発明の容器における窓部は、その外壁面が胴部の側面部における外周面の基準面よりも外方に突き出ていれば、内壁面が凹んでその底が該基準面よりも外方に位置する態様でなくてもよい。例えば、図７に例示した窓部２１Ｂを備える容器であってもよい。図７における図４と同じ部分には同符号を付して説明を省略する。
窓部２１Ｂは、第１窓部２２の代わりに第１窓部２２Ａを備え、第２窓部２４の代わりに第１窓部２２Ａと同形状の第２窓部を備える以外は、窓部２１と同じである。第１窓部２２Ａは、内壁面２２ｂが凹んでおらず、側面部２０ａの第１窓部２２Ａ以外の部分の内壁面と面一になっており、外壁面２２ａのみが外方に突出して断面形状が半円状になっている以外は、第１窓部２２と同じである。
第１窓部２２Ａにおいては、収容部１４の内部から第１窓部２２Ａに入射した光Ｌが第１窓部２２Ａの外壁面２２ａにおいて屈折する。そのため、特に内容液が着色されている場合、容器の正面側や背面側から第１窓部２２Ａを見ても内容液の液位を視認できる。
このように、窓部２１Ｂを備える容器でも内容液の液位を容易に視認できる。内容液の液位を視認しやすい点では、容器１のように、窓部の内壁面が凹み、その底が胴部の側面部における外周面の基準面よりも外方に位置している態様が好ましい。
【００３７】
また、本発明の容器では、胴部の側面部に窓部が設けられる態様には限定されず、正面部や背面部に窓部が設けられていてもよい。また、光取込部が設けられていない容器であってもよい。
また、本発明の容器は、前述の窓部を胴部に設けた収容部を備えるものであれば、内容液を泡化することなく吐出する吐出部を備えるものであってもよく、吐出部を備えず、口部に装着されるキャップを備えるものであってもよい。
【符号の説明】
【００３８】
１、２  容器
１０  容器本体
１２  吐出部
１４  収容部
１６  口部
１８  底面部
２０  胴部
２０ａ  一方の側面部
２０ｂ  他方の側面部
２１、２１Ａ、２１Ｂ  窓部
２２、２２Ａ  第１窓部
２４  第２窓部
２６  光取込部
ｋ  基準面
【図１】
0006398101.tif 000002
【図２】
0006398101.tif 000003
【図３】
0006398101.tif 000004
【図４】
0006398101.tif 000005
【図５】
0006398101.tif 000006
【図６】
0006398101.tif 000007
【図７】
0006398101.tif 000008